(57)【要約】【課題】構造品の限られた狭い空間において、高周波特性を損なうことなく、同軸ケーブル同士のコネクタ接続が可能となる同軸ケーブルコネクタを提供する。【解決手段】互いに接続されるプラグコネクタ２とジャックコネクタ６とを備え、プラグコネクタ２が、同軸ケーブル１の端末に取り付けられるプラグ本体２０と、このプラグ本体２０の外周に回転自在に設けられプラグコネクタ２とジャックコネクタ６とを締め付けて接続するカップリングナット５と、プラグ本体２０の中心に配置され同軸ケーブル１の内部導体と電気的に導通する中心コンタクト３とを有する同軸ケーブルコネクタにおいて、プラグコネクタ２をジャックコネクタ６と突き合わせた際に、プラグコネクタ２とジャックコネクタ６の周囲が露出するように、カップリングナット５をプラグ本体２０上にその軸方向に沿って移動可能に設けた。【選択図】図１
2011253625.tif 000002
【特許請求の範囲】
【請求項１】
互いに接続されるプラグコネクタとジャックコネクタとを備え、前記プラグコネクタが、同軸ケーブルの端末に取り付けられるプラグ本体と、このプラグ本体の外周に回転自在に設けられ前記プラグコネクタとジャックコネクタとを締め付けて接続するカップリングナットと、前記プラグ本体の中心に配置され前記同軸ケーブルの内部導体と電気的に導通する中心コンタクトとを有する同軸ケーブルコネクタにおいて、
前記プラグコネクタを前記ジャックコネクタと突き合わせた際に、前記プラグコネクタと前記ジャックコネクタの周囲が露出するように、前記カップリングナットを前記プラグ本体上にその軸方向に沿って移動可能に設けたことを特徴とする同軸ケーブルコネクタ。
【請求項２】
前記プラグコネクタと前記ジャックコネクタとを接続したときに、前記プラグ本体を前記ジャックコネクタに押し付けるためのコイルバネを、前記カップリングナットの押圧部と前記プラグ本体の先端に形成されたフランジ部との間に設けた請求項１記載の同軸ケーブルコネクタ。
【請求項３】
前記プラグ本体の後端に、前記カップリングナットの移動量を規制するためのストッパを設けた請求項１又は２記載の同軸ケーブルコネクタ。
【発明の詳細な説明】
【技術分野】
【０００１】
本発明は、無線通信・計測機器など、特に周波数特性が重要なＵＨＦ帯通信や携帯電話基地局用アンテナ、放送用アンテナを構成する同軸ケーブルコネクタに関するものである。
【背景技術】
【０００２】
近年、携帯電話の需要は全世界に広がり、これまで以上に無線通信の低コスト化、高信頼性化が要求されている。高周波技術は、さまざまな場面で応用されてきており、高周波同軸ケーブルとその配線を実現するための接栓（同軸ケーブルに取り付けられる側のコネクタで、開口部形状によりプラグ、ジャックに分類される）についてもたくさんの種類のものが適用されている。特に、高周波特性を劣化させることなく同軸ケーブル同士を繋ぎ合わせるための同軸ケーブルコネクタとしてＮ型コネクタ接続がある（例えば、特許文献１参照）。
【０００３】
Ｎ型コネクタは、中心ピン３を有するプラグコネクタ２ａ（図７参照）と、中心ソケット７を有するジャックコネクタ６（図８参照）とを突き合わせ、中心ピン３を中心ソケット７に接続した後、プラグコネクタ本体２０ａに回転自在に取り付けられているカップリングナット５ａ内周面の内ネジ５１を、ジャックコネクタ本体６０外周面の外ネジ６３に締め付けることで、強固に接続を保持する構造である。
【０００４】
図７に示すように、プラグコネクタ２ａは、同軸ケーブル１の端部に取り付けられており、同軸ケーブル１の外部導体（図示せず）と接続される円筒状のプラグコネクタ本体２０ａ、同軸ケーブル１の内部導体（図示せず）と接続される中心ピン３、及びプラグコネクタ本体２０ａと中心ピン３を電気的に絶縁する絶縁体４が同心状に配置されて構成され、プラグコネクタ本体２０ａの外周部にカップリングナット５ａが回転自在に取り付けられている。２４は、パッキンである。
【０００５】
一方、図８に示すようにジャックコネクタ６は、外周面に外ネジ６３が形成されたジャックコネクタ本体６０、先端部に中心ピン受入穴７０を形成した中心ソケット７、及びジャックコネクタ本体６０と中心ソケット７を電気的に絶縁する絶縁体（図示せず）が同心状に配置して構成されている。
【先行技術文献】
【特許文献】
【０００６】
【特許文献１】特開２００７−２１３８６４号公報
【発明の概要】
【発明が解決しようとする課題】
【０００７】
しかし、一般的に同軸ケーブルは、その構造上、通常の電線と比較して曲げにくく、アンテナなど構造体内部の狭い空間内で、コネクタ接続する際には、繋ぎ合せるケーブルの軸同士を突き合わせることが困難な場合があり、コネクタ接続を行ったとしても、周波数特性を十分に満足できないことがある。
【０００８】
特に、Ｎ型のコネクタ接続作業では、周波数特性を良好に保つために、カップリングナットを締め付ける前に、本体同士の突合せを確実に行うことが重要である。しかしながらＮ型コネクタは、カップリングナットで本体先端部が隠れているため、突合せが確実に行えたかどうか、目視で確認することができない。また、一般的に、カップリングナットは、トルクレンチで締め付けてしまうので、突合せが確実に行われないまま締め付けてしまうと、ネジの噛み合わせが悪く、コネクタを壊してしまうこともあり、作業者には経験が必要である。
【０００９】
本発明は、かかる点に鑑みてなされたものであり、その目的とするところは、構造品の限られた狭い空間において、高周波特性を損なうことなく、同軸ケーブル同士のコネクタ接続が可能となる同軸ケーブルコネクタを提供することにある。
【課題を解決するための手段】
【００１０】
前記課題を解決するために本発明の同軸ケーブルコネクタは、互いに接続されるプラグコネクタとジャックコネクタとを備え、前記プラグコネクタが、同軸ケーブルの端末に取り付けられるプラグ本体と、このプラグ本体の外周に回転自在に設けられ前記プラグコネクタとジャックコネクタとを締め付けて接続するカップリングナットと、前記プラグ本体の中心に配置され前記同軸ケーブルの内部導体と電気的に導通する中心コンタクトとを有する同軸ケーブルコネクタにおいて、前記プラグコネクタを前記ジャックコネクタと突き合わせた際に、前記プラグコネクタと前記ジャックコネクタの周囲が露出するように、前記カップリングナットを前記プラグ本体上にその軸方向に沿って移動可能に設けたことを特徴とする。
【００１１】
また前記プラグコネクタと前記ジャックコネクタとを接続したときに、前記プラグ本体を前記ジャックコネクタに押し付けるためのコイルバネを、前記カップリングナットの押圧部と前記プラグ本体の先端に形成されたフランジ部との間に設けてもよい。
【００１２】
また前記プラグ本体の後端に、前記カップリングナットの移動量を規制するためのストッパを設けてもよい。
【発明の効果】
【００１３】
本発明の同軸ケーブルコネクタによれば、構造品の限られた狭い空間において、高周波特性を損なうことなく、同軸ケーブル同士のコネクタ接続が可能となる。
【図面の簡単な説明】
【００１４】
【図１】図１は、本発明の実施形態によるプラグコネクタのカップリングナットを後方へ移動したときの図である。
【図２】図２は、図１のプラグコネクタをジャックコネクタと突き合わせたときの外観図である。
【図３】図３は、図２の状態からカップリングナットを前方へ移動し、ジャックコネクタの外ネジに締め付け、プラグコネクタとジャックコネクタとを接続した状態を示す半断面図である。
【図４】図４は、本発明の他の実施形態のプラグコネクタを示す半断面図である。
【図５】図５は、図４のプラグコネクタをジャックコネクタと突き合わせたときの状態を示す半断面図である。
【図６】図６は、図５の状態からカップリングナットをジャックコネクタの外ネジに締め付け、プラグコネクタとジャックコネクタとを接続した状態を示す半断面図である。
【図７】図７は、従来のＮ型コネクタのプラグコネクタを示す半断面図である。
【図８】図８は、従来のＮ型コネクタのジャックコネクタを示す半断面図である。
【発明を実施するための形態】
【００１５】
本発明の好適な実施形態を添付図面に基づいて説明する。なお従来と同様な機能を有するものは同一の符号を付して説明する。
【００１６】
図１から図３に示すように、同軸ケーブルコネクタは、雄コネクタ部材である接栓（プラグコネクタ）２と、雌コネクタ部材である受け側接栓（ジャックコネクタ）６と、カップリングナット５とから構成される。同軸ケーブル１は、図示していないが、内側から断面が円形をした内部導体に絶縁体、外部導体が同心状に配置され、外側をシースで被覆して構成されている。
【００１７】
プラグコネクタ２は、図１に示すように同軸ケーブル１の端末に取り付けられており、同軸ケーブル１の外部導体（図示せず）と電気的に接続されるプラグコネクタ本体２０（以下、プラグ本体２０という）、同軸ケーブル１の内部導体（図示せず）と電気的に接続される中心コンタクト（中心ピン）３、及びプラグ本体２０と中心コンタクト３を電気的に絶縁する絶縁体４を具備し、これらを同心状に配置して構成される。プラグ本体２０は、導電性の金属からなり、先端（接続方向先端）側から円筒状の筒状部２１と、フランジ部２２と、筒状部２１より厚肉円筒状の胴部２３とが形成されている。フランジ部２２の筒状部２１側にパッキン２４が取り付けられている。
【００１８】
プラグ本体２０の外周面には、カップリングナット５が回転自在に遊嵌されるようになっている。カップリングナット５は、図３に示すように、内周面５０の後端（接続方向後端）内側に環状に延出する押圧部５２が形成されると共に内ネジ５１が形成されている。この内ネジ５１は、後述するジャックコネクタ６の外ネジ６３とネジ嵌合するようになっている。
【００１９】
一方、ジャックコネクタ６は、図２及び図３に示すように、外周面に外ネジ６３が形成されたジャックコネクタ本体６０（以下、ジャック本体６０という）、先端部に中心コンタクト受入孔７０を形成した中心ソケット７、及びジャック本体６０と中心ソケット７を電気的に絶縁する絶縁体（図示せず）を具備し、これらを同心状に配置して構成される。ジャック本体６０は、導電性の金属からなり、先端側から円筒状の筒状部６１と、この筒状部６１より厚肉円筒状の胴部とが形成されている。筒状部６１の外周面に前記の外ネジ６３が形成され、筒状部６１の中空部に段差部６２が設けられている。図示していないが、ジャックコネクタ６も同軸ケーブルに接続されており、ジャック本体６０が同軸ケーブルの外部導体と接続され、中心ソケット７が同軸ケーブルの内部導体と接続される。
【００２０】
プラグ本体２０の筒状部２１の外径とジャック本体６０の筒状部６１の内径は互いに等しくされ、プラグコネクタ２とジャックコネクタ６の接続状態において、筒状部２１の先端部が筒状部６１の段差部６２に当接する。また中心コンタクト３の外径と中心ソケット７の内径は互いに等しくされ、プラグコネクタ２とジャックコネクタ６の接続状態において、中心コンタクト３と中心ソケット７は電気的に接続する。
【００２１】
本発明の大きな特徴は、プラグコネクタ２とジャックコネクタ６とを突き合わせた際に、プラグコネクタ２の先端部（筒状部２１、パッキン２４、フランジ部２２）とジャックコネクタ６の先端部（筒状部６１）の周囲が露出するように、カップリングナット５をプラグ本体２０上にその軸方向に沿って移動可能に設けたことにある。
【００２２】
すなわち、カップリングナット５は、前記したようにプラグ本体２０の外周面に回転自在に遊嵌されるものであるため、カップリングナット５の内径は、プラグ本体２０の外径より大きく形成されており、カップリングナット５は、プラグ本体２０上にその軸方向に沿って移動可能なようになっている。このため、図１に示すようにカップリングナット５がプラグ本体２０から後方へ移動したときは（図１は、カップリングナット５が同軸ケーブル１上に位置している）、プラグコネクタ２の先端部が露出する。
【００２３】
次に、このように構成されたプラグコネクタ２をジャックコネクタ６に接続する場合について説明する。
【００２４】
先ず、プラグコネクタ２とジャックコネクタ６の突合せの際に、図１に示すようにカップリングナット５をプラグコネクタ２から後退させておく。次に、図２に示すようにプラグ本体２０を持ち、ジャックコネクタ６に突き合わせる。すなわち、プラグコネクタ２の筒状部２１をジャックコネクタ６の筒状部６１内に挿入し、中心コンタクト３を中心コンタクト受入孔７０に嵌合させて中心ソケット７と接続させる。図２に示すようにジャックコネクタ６先端部分（筒状部６１の先端部分）がプラグコネクタ２のパッキン２４に確実に接触し、挿入されたことを確認してから、カップリングナット５を手前に移動する。
【００２５】
その後、図３に示すようにカップリングナット５を所定方向に回転させ、カップリングナット５の内ネジ５１をジャックコネクタ６の外ネジ６３に締め付けることによってプラグコネクタ２をジャックコネクタ６に接続する。ねじ込みによりカップリングナット５がジャック本体６０上を軸方向に推移しながらカップリングナット５の押圧部５２の端面がプラグ本体２０のフランジ部２２の端面に当接、押圧し、接続状態では、プラグコネクタ２の先端端面（筒状部２１の先端端面）と、ジャックコネクタ６の筒状部６１の段差部６２とが相対向して互いに当接する。プラグコネクタ２のフランジ部２２に設けられたパッキン２４がプラグコネクタ２とジャックコネクタ６との接続を安定化すると共にプラグコネクタ２とジャックコネクタ６間を防水するようになっている。このようにして、プラグコネクタ２とジャックコネクタ６との接続が完了する。
【００２６】
以上のように、本発明の同軸ケーブルコネクタは、プラグコネクタ２に回転自在に遊嵌されたカップリングナット５をプラグコネクタ２の後方に移動でき、プラグコネクタ２の先端部が露出する構造であり、プラグコネクタ２とジャックコネクタ６とを突き合わせて接続する際、プラグコネクタ２及びジャックコネクタ６の先端部の突合せが確実に行えたかどうか、目視で確認することができ、構造品の限られた狭い空間において、高周波特性を損なうことなく、同軸ケーブル同士のコネクタ接続が可能となる。
【００２７】
同軸ケーブルコネクタにより同軸ケーブル１を接続する態様としては、プラグコネクタ２が自由状態の同軸ケーブル１先端に取り付けられ、ジャックコネクタ６がシャーシに固定される場合と、プラグコネクタ２、ジャックコネクタ６とも別々のシャーシに取り付けられ、各シャーシ内の同軸ケーブル１の端末にプラグコネクタ２、ジャックコネクタ６が接続されている場合とがあり、本発明はいずれの場合にも適用可能である。
【００２８】
次に、図４から図６に基づいて他の実施形態について説明する。
【００２９】
本実施形態は、カップリングナット５の押圧部５２とプラグ本体２０のフランジ部２２との間にコイルバネ８を設けた構造である。プラグコネクタ２は、プラグ本体２０の後端にカップリングナット５の移動量を規制し、コイルバネ８の抜けを防止するためのストッパである後端フランジ部２５が形成されている。図４に示すようにカップリングナット５を、その押圧部５２がプラグ本体２０の後端フランジ部２５に当接するまで後方へ移動させたときは、プラグコネクタ２の先端部が目視できるようになっている。その他の部材は同一のため説明を省略する。
【００３０】
本実施形態もプラグコネクタ２をジャックコネクタ６に接続する場合は、図４に示すように、カップリングナット５の押圧部５２がプラグ本体２０の後端フランジ部２５に当接するまでカップリングナット５をプラグ本体２０上で後退させておく。
【００３１】
次に、図５に示すようにプラグ本体２０を持ち、プラグコネクタ２の筒状部２１をジャックコネクタ６の筒状部６１内に挿入し、中心コンタクト３を中心ソケット７と接続させる。ジャックコネクタ６の先端部分がプラグコネクタ２のパッキン２４に確実に接触し、挿入されたことを確認してから、図６に示すようにカップリングナット５を手前に移動し、カップリングナット５の内ネジ５１をジャックコネクタ６の外ネジ６３に締め付けることによってプラグコネクタ２をジャックコネクタ６に接続する。本実施形態は、挿入を目視で確認した後、カップリングナット５を移動してネジを締め付けるが、その際にコイルバネ８のバネ力により、プラグ本体２０がジャックコネクタ６に押し付けられ良好な接続が実現できる。
【００３２】
なお、コイルバネ８の一端をプラグ本体２０のフランジ部２２に当接させ、他端をカップリングナット５の押圧部５２に当接させることで、コイルバネ８のバネ力によりプラグ本体２０の先端部が露出し、プラグコネクタ２とジャックコネクタ６の接続に際して、カップリングナット５をプラグコネクタ２から後退させる手間を省くことができる。
【符号の説明】
【００３３】
１  同軸ケーブル
２  プラグコネクタ
３  中心コンタクト
４  絶縁体
５  カップリングナット
６  ジャックコネクタ
７  中心ソケット
８  コイルバネ
２０  プラグ本体
２２  フランジ部
２５  後端フランジ部（ストッパ）
５２  押圧部
６３  外ネジ
【図１】
2011253625.tif 000003
【図２】
2011253625.tif 000004
【図３】
2011253625.tif 000005
【図４】
2011253625.tif 000006
【図５】
2011253625.tif 000007
【図６】
2011253625.tif 000008
【図７】
2011253625.tif 000009
【図８】
2011253625.tif 000010